(57)【要約】【課題】  本発明は魚釣用スピニングリールに関し、スプール内部やロータ内部への釣糸の侵入を防止した魚釣用スピニングリールを提供することを目的とする。【解決手段】  釣糸案内部を有する支持部材を支持する一対の支持アームと円筒状部とで構成されたロータと、釣糸巻回胴部の前後に前側フランジ部と円筒状のスカート部を具備し、前記ロータの回転に連動してリール本体の前後方向へ往復動するスプールと、前記スプール内に装着され、スプールを支持するスプール軸に基部が回転可能且つスプールと共に往復動可能に取り付き、前記ロータの支持アームに一体回転且つ前後動可能に係合する糸落ち防止部材とを備えた魚釣用スピニングリールに於て、前記スプールのスカート部の内周面に対向する糸落ち防止部材の外周に、径方向外方へ突出する突出部を周方向に間隔をあけて複数設けたことを特徴とする。【選択図】    図１
2008118859.tif 000002
【特許請求の範囲】
【請求項１】
釣糸案内部を有する支持部材を支持する一対の支持アームと円筒状部とで構成されたロータと、
釣糸巻回胴部の前後に前側フランジ部と円筒状のスカート部を具備し、前記ロータの回転に連動してリール本体の前後方向へ往復動するスプールと、
前記スプール内に装着され、スプールを支持するスプール軸に基部が回転可能且つスプールと共に往復動可能に取り付き、前記ロータの支持アームに一体回転且つ前後動可能に係合する糸落ち防止部材とを備えた魚釣用スピニングリールに於て、
前記スプールのスカート部の内周面に対向する糸落ち防止部材の外周に、径方向外方へ突出する突出部を周方向に間隔をあけて複数設けたことを特徴とする魚釣用スピニングリール。
【請求項２】
前記糸落ち防止部材の基部の外周に、径方向外方へ突出する突出部を周方向に間隔をあけて複数設けたことを特徴とする請求項１に記載の魚釣用スピニングリール。                                                                               
【発明の詳細な説明】
【技術分野】
【０００１】
本発明は、魚釣り操作中にスプール内部やロータ内部への釣糸の侵入防止を図る糸落ち防止部材を備えた魚釣用スピニングリールに関する。
【背景技術】
【０００２】
従来周知のように魚釣用スピニングリール（以下、「スピニングリール」という）は、ロータに設けた一対の支持アームの先端に、半環状のベールが一対の支持部材を介して釣糸巻取り位置と釣糸放出位置とに反転自在に取り付き、スプールに釣糸を案内する釣糸案内部（ラインローラ）が一方の支持部材に装着されている。そして、ベールを釣糸放出位置に倒してキャスティングすると、スプールに巻回された釣糸がスパイラル状に解かれて前方へ繰り出され、また、ハンドルの巻取り操作に伴いベールが釣糸巻取り位置へ反転すると、釣糸がベールから釣糸案内部に案内され、ロータの回転に連動して前後方向へ往復動するスプールに釣糸が巻回されるようになっている。
【０００３】
そして、スプールは、釣糸を巻回する釣糸巻回胴部と、その前方に設けられて釣糸巻回胴部の外径より大径な前側フランジ部（前側鍔部）と、釣糸巻回胴部の後方に設けられた円筒状のスカート部（後側鍔部）とで構成されている。
ところで、魚釣り操作性の向上を図るため、特に遠投用のスピニングリールに於ては、特許文献１に開示されるようにスプールのスカート部より後方への釣糸の抜け落ちを防止する糸落ち防止部材をスプール内に装着したものが知られている。
【０００４】
図７及び図８は前記糸落ち防止部材とこれを装着したスピニングリールを示し、糸落ち防止部材１は、スプール軸３に回転可能且つスプール５と共にリール本体１５の前後方向へ往復動可能に支持されたリング状の基部７と、この基部７から径方向外方へ延出された複数本の継ぎフレーム９と、継ぎフレーム９の他端側に連設された第１環状部１１と、この第１環状部１１より径方向外方に位置する第２環状部１３と、第２環状部１３のリール本体１５側外周に径方向外方へ突設され、ロータ１７の支持アーム１９に設けた係合溝２１に係合する係合突起２３とで構成されており、基部７と第１環状部１１，第２環状部１３は中心軸を同じくしている。そして、図７に示すように糸落ち防止部材１は、第１環状部１１がスプール５のスカート部２５の内周と所定の間隔を以って配置され、第２環状部１３がスカート部２５の後端縁よりリール本体１５側に配置されて、第２環状部１３の外周がスカート部２５の外周と略面一に配置されている。
【０００５】
そして、前記スカート部２５の内周面に対向する第１環状部１１の外周に、径方向外方へ突出する環状突起２７が周方向に設けられた構造となっており、係合突起２３がロータ１７内部への釣糸の糸落ちを防止し、また、第２環状部１３の外周がスカート部２５の外周と略面一に配置されたことでスカート部２５の後端からスプール５内への釣糸の糸落ちが防止され、また、仮にスカート部２５の後端からスプール５の内方に釣糸が糸落ちしても、環状突起２７が釣糸の更なる内方への糸落ち，侵入を阻止するようになっている。
【特許文献１】特許第３７６１４９０号公報
【発明の開示】
【発明が解決しようとする課題】
【０００６】
このように、前記糸落ち防止部材１によってスプール５内部やロータ１７内部への釣糸の侵入防止が図られているが、釣糸が緩んでいると、釣糸の撚れ具合の影響も加わって糸落ち防止部材１の環状突起２７による釣糸の侵入防止の確実性に劣り、スプール５内部に釣糸が侵入して、糸落ち防止部材１の支持部に釣糸が絡み付いたり、スプール軸３内に食い込んでしまう等の問題が完全に解消されていないのが実情であった。
【０００７】
本発明は斯かる実情に鑑み案出されたもので、スプール内部やロータ内部への釣糸の侵入を防止したスピニングリールを提供することを目的とする。
【課題を解決するための手段】
【０００８】
斯かる目的を達成するため、請求項１に係る発明は、釣糸案内部を有する支持部材を支持する一対の支持アームと円筒状部とで構成されたロータと、釣糸巻回胴部の前後に前側フランジ部と円筒状のスカート部を具備し、前記ロータの回転に連動してリール本体の前後方向へ往復動するスプールと、前記スプール内に装着され、スプールを支持するスプール軸に基部が回転可能且つスプールと共に往復動可能に取り付き、前記ロータの支持アームに一体回転且つ前後動可能に係合する糸落ち防止部材とを備えたスピニングリールに於て、前記スプールのスカート部の内周面に対向する糸落ち防止部材の外周に、径方向外方へ突出する突出部を周方向に間隔をあけて複数設けたことを特徴とする。
【０００９】
そして、請求項２に係る発明は、請求項１に記載のスピニングリールに於て、前記糸落ち防止部材の基部の外周に、径方向外方へ突出する突出部を周方向に間隔をあけて複数設けたことを特徴とする。
【発明の効果】
【００１０】
請求項１に係る発明によれば、スカート部の後端からスプールの内方に釣糸が糸落ちしても、糸落ち防止部材の外周に突設した複数の突片に釣糸が引っ掛かって、スプール内部への釣糸の確実な侵入防止が図られる。
そして、請求項２に係る発明によれば、釣場の状況変化等によって仮に釣糸が更にスプールの内部に侵入しても、基部の外周に突設した複数の突片によって、スプール軸回りへの釣糸の更なる侵入，食い込みの阻止を図ることができる利点を有する。
【発明を実施するための最良の形態】
【００１１】
以下、本発明の実施形態を図面に基づいて詳細に説明する。
図１は請求項１及び請求項２の第一実施形態に係るスピニングリールを示し、図中、３１は軸受３３を介してリール本体３５の前部に回転可能に支持された中空な回転軸筒（フライヤ軸）で、その先端にロータ３７がナット３９で固定されている。
そして、回転軸筒３１の後端側外周に設けられたピニオン４１に、ハンドル４３のハンドル軸４５に回り止め嵌着した駆動歯車４７が噛合しており、ハンドル４３の回転操作（巻取り操作）が駆動歯車４７，ピニオン４１から回転軸筒３１に伝達されて、ロータ３７が釣糸巻取り方向へ回転するようになっている。
【００１２】
円筒状に形成されたロータ３７の基部には、一対の支持アーム４９が前方へ向けて一体に延設されており、両支持アーム４９の先端に、支持部材５１が釣糸巻取り位置と釣糸放出位置とに反転自在に取り付けられている。そして、両支持部材５１間に半環状のベール５３が取り付き、一方のベール支持部材５１にラインローラ（釣糸案内部）５５が回転可能に装着されている。
【００１３】
また、図中、５７は回転軸筒３１内を挿通してリール本体３５の前後方向に摺動可能に支持されたスプール軸で、スプール軸５７のロータ側突出端にスプール５９がドラグノブ６１を介して取り付き、スプール軸５７の後端側に、周知のトラバース機構（スプール往復動装置）６３の摺動子６５が連結されている。
而して、スプール５９は、釣糸を巻回する釣糸巻回胴部６７と、その前方に設けられて釣糸巻回胴部６７の外径より大径な前側フランジ部６９と、釣糸巻回胴部６７の後方に設けられた大径な円筒状のスカート部７１とで構成されており、図２に示すようにスカート部７１の外周は支持アーム４９の内周に対向している。
【００１４】
そして、従来と同様、ベール５３を釣糸放出位置へ倒して仕掛けをキャスティングすると、釣糸巻回胴部６７に巻回された釣糸がスパイラル状に繰り出され、また、ベール５３を釣糸巻取位置側へ倒してハンドル４３を巻取り操作すると、ロータ３７の回転に連動してトラバース機構６３により前後方向へ往復動するスプール５９（釣糸巻回胴部６７）に、釣糸がラインローラ５５を介して巻回されるようになっている。
【００１５】
更に、前記回転軸筒３１の略中間部分の外周には、キャスティング時や釣糸の巻取り操作時にハンドル４３の逆回転を阻止する一方向クラッチ７３を用いた周知の逆転防止機構７５が装着されており、リール本体３５の後部側に逆転防止機構７５の切換えレバー７７が装着されている。
そして、図７に示す従来例と同様、本実施形態に係るスピニングリール７９も、上述の如き構成に加え、スプール５９内部やロータ３７内部への釣糸の侵入防止を図る糸落ち防止部材８１がスプール５９内に装着されている。
【００１６】
図１乃至図３に示すように糸落ち防止部材８１は、スプール軸５７に位置決め嵌合した軸受８３を介してスプール軸５７に回転可能且つスプール軸５７と共にリール本体３５の前後方向へ往復動可能に支持されたリング状の基部８５と、この基部８５から径方向外方且つ後方へ延出された４本の継ぎフレーム８７と、継ぎフレーム８７の他端側に連設された第１環状部８９と、この第１環状部８９の後端に於て、径方向外方に位置する第２環状部９１と、第２環状部９１の径方向外方へ突設され、ロータ３７の支持アーム４９の内周に設けた係合溝９３に係合する一対の係合突起９５とで構成されており、基部８５と第１環状部８９，第２環状部９１は中心軸を同じくしている。
【００１７】
そして、図２に示すように糸落ち防止部材８１は、第１環状部８９がスプール５９のスカート部７１の内周面と径方向内方に所定の間隔を以って対向配置されると共に、第２環状部９１がスカート部７１の後端縁よりリール本体３５側に配置されて、第２環状部９１の外周がスカート部７１の外周と略面一に配置されている。
更に、図２及び図３に示すようにスカート部７１の内周面の径方向内方に対向する第１環状部８９の外周に、径方向外方へ突出する突片（突出部）９７が周方向に等間隔に複数突設され、更にまた、前記基部８５の外周に、径方向外方へ突出する突片（突出部）９９が周方向に等間隔に複数突設されている。
【００１８】
而して、糸落ち防止部材８１は、ＡＢＳ，ＰＰＳ等の合成樹脂やアルミ等の金属等で一体成形されており、図４に示すように前記突片９７は、例えば金型で糸落ち防止部材８１を鋳造する際に入れ子（ピン）１０１を立てて形成される。
この結果、図２乃至図４に示すように第１環状部８９の周壁と、スプール５９の軸方向に対して略直角な第２環状部９１の壁状部には、入れ子形成による肉抜きの孔１０３が各突片９７毎に形成されており、これらの孔１０３によって糸落ち防止部材８１の軽量化が図られ、また、切削に変えての金型成形による製造コストの低廉化が図られている。
【００１９】
また、図２に示すように前記支持アーム４９の係合溝９３に係合する係合突起９５には、その基部側（第２環状部９１側）から支持アーム４９方向へ向かってスプール５９の前方へ傾斜する、即ち、係合突起９５の端部が頂部となる山形の傾斜面１０５が設けられており、斯かる構造によって係合突起９５に引っ掛かった釣糸を傾斜面１０５が積極的に基部側に案内して、ロータ３７内部への釣糸の侵入防止を図っている。
【００２０】
本実施形態はこのように構成されているから、ハンドル４３の巻取り操作に伴い、糸落ち防止部材８１はロータ３７と共に回転し乍ら、前記支持アーム４９の係合溝９３に沿ってスプール５９と共に前後方向へ往復動するが、糸落ち防止部材８１の第２環状部９１の外周がスカート部７１の外周と略面一に配置されているため、スカート部７１の後端からスプール５９内への釣糸の糸落ちが第２環状部９１によって防止される。
【００２１】
一方、ロータ３７内部への釣糸の糸落ちが係合突起９５によって防止されるが、既述したように係合突起９５には、係合突起９５に引っ掛かった釣糸を積極的に基部側に案内する傾斜面１０５が設けられているため、図８のストレート形状の係合突起２３に比し、積極的にロータ３７内部への釣糸の侵入防止が図られることとなる。
そして、図８の環状突起２７に比し、本実施形態の周方向に形成した複数の突片９７の方が釣糸が引っ掛かり易いため、仮にスカート部７１の後端からスプール５９の内方に釣糸が糸落ちしても、第１環状部８９の外周に突設した複数の突片９７に釣糸が引っ掛かってスプール５９内部への確実な侵入阻止が図られる。
【００２２】
また、釣場の状況変化等により、仮に釣糸が更にスプール５９の内部に侵入しても、基部８５の外周に突設した複数の突片９９が、スプール軸５７回りへの釣糸の更なる侵入阻止を図ることとなる。
従って、本実施形態によれば、スプール５９内部やロータ３７内部への釣糸の侵入防止を確実に図ることが可能となり、最悪の釣糸の絡み付きを防止することができることとなった。
【００２３】
また、既述したように本実施形態は、糸落ち防止部材８１の金型成形時に、入れ子１０１形成による肉抜きの孔１０３が各突片９７毎に形成されているため、これらの孔１０３によって糸落ち防止部材８１の軽量化が図れると共に、切削に変えての金型成形により、製造コストの低廉化が図れる利点を有する。
図５は請求項１及び請求項２の第二実施形態に係るスピニングリールの要部拡大断面図を示し、本実施形態は、前記突片９７の先端側にリール本体３５の後方へ突出する係止爪１０７を設けて、突片９７による釣糸の侵入防止をより確実にしたものである。
【００２４】
そして、図４で既述したように前記実施形態では、入れ子１０１による金型成形で突片９７を形成したが、図５に示すように上型１０９と下型１１１とによって糸落ち防止部材８１を金型成形するに当たり、前記突片９７と係止爪１０７，孔１０３が形成できるように上型１０９と下型１１１の当接面を加工処理することで、前記係止爪１０７を有する突片９７を備えた糸落ち防止部材８１を金型成形することも可能である。
【００２５】
而して、本実施形態によれば、突片９７に係止爪１０７を設けたことで、突片９７による釣糸の侵入防止がより確実になると共に、肉抜きの孔１０３が各突片９７毎に形成されて糸落ち防止部材８１の軽量化が図れる利点を有する。
また、前記突片９９にも、同様に係止爪１０７を設けてもよい。
【図面の簡単な説明】
【００２６】
【図１】請求項１及び請求項２の第一実施形態に係るスピニングリールの断面図である。
【図２】図１に示すスピニングリールの要部拡大断面図である。
【図３】糸落ち防止部材の全体斜視図である。
【図４】図１に示すスピニングリールの要部拡大断面図である。
【図５】請求項１及び請求項２の第二実施形態に係るスピニングリールの要部拡大断面図である。
【図６】糸落ち防止部材の製造方法の説明図である。
【図７】従来の糸落ち防止部材を備えたスピニングリールの要部切欠き断面図である。
【図８】従来の糸落ち防止部材の全体斜視図である。
【符号の説明】
【００２７】
３１  回転軸筒
３５  リール本体
３７  ロータ
４１  ピニオン
４３  ハンドル
４５  ハンドル軸
４９  支持アーム
５１  支持部材
５５  ラインローラ（釣糸案内部）
５７  スプール軸
５９  スプール
６３  トラバース機構
６７  釣糸巻回胴部
６９  前側フランジ部
７１  スカート部
７５  逆転防止機構
７９  スピニングリール
８１  糸落ち防止部材
８５  基部
８７  継ぎフレーム
８９  第１環状部
９１  第２環状部
９３  係合溝
９５  係合突起
９７，９９  突片（突出部）
１０１  入れ子（ピン）
１０３  孔
１０５  傾斜面
１０７  係止爪
１０９  上型
１１１  下型                                                                                
【図１】
2008118859.tif 000003
【図２】
2008118859.tif 000004
【図３】
2008118859.tif 000005
【図４】
2008118859.tif 000006
【図５】
2008118859.tif 000007
【図６】
2008118859.tif 000008
【図７】
2008118859.tif 000009
【図８】
2008118859.tif 000010